(57)【要約】【課題】音響装置において、圧力変動による防水振動膜の破壊を防止する。【解決手段】防水振動膜１４と、その防水振動膜１４の下方に配置される磁石１１を含む磁性部１２と、を備える音響装置であって、防水振動膜１４は、磁性部１１・１２が位置する方向に突出する凸部１４ａ、または磁性部１１・１２が位置する方向と反対方向に窪む凹部１４ｂを有し、磁性部１１・１２は、防水振動膜１４の凸部１４ａに対応する位置に、防水振動膜１４が位置する方向と反対方向に窪む、凸部１４ａの形状に対応した凹部形状の圧緩衝部１２ａを有する、または防水振動膜１４の凹部１４ｂに対応する位置に、防水振動膜１４が位置する方向へ突出する、凹部１４ｂの形状に対応した凸部形状の圧緩衝部１２ｂを有する。【選択図】図１
2018050141.tif 000002
【特許請求の範囲】
【請求項１】
防水振動膜と、
前記防水振動膜の下方に配置される磁石を含む磁性部と、
を備える音響装置であって、
前記防水振動膜は、前記磁性部が位置する方向に突出する凸部、または前記磁性部が位置する方向と反対方向に窪む凹部を有し、
前記磁性部は、前記防水振動膜の前記凸部に対応する位置に、前記防水振動膜が位置する方向と反対方向に窪む、前記凸部の形状に対応した凹部形状の圧緩衝部を有する、または前記防水振動膜の前記凹部に対応する位置に、前記防水振動膜が位置する方向へ突出する、前記凹部の形状に対応した凸部形状の圧緩衝部を有する
ことを特徴とする音響装置。
【請求項２】
前記防水振動膜の上方に配置され、開口を有する保護パネルを備え、
前記保護パネルは、前記防水振動膜の前記凸部に対応する位置に、前記防水振動膜が位置する方向と反対方向に突出する、前記凸部の形状に対応した凸部形状の圧緩衝部を有する、または前記防水振動膜の前記凹部に対応する位置に、前記防水振動膜が位置する方向に窪む、前記凹部の形状に対応した凹部形状の圧緩衝部を有する
ことを特徴とする請求項１に記載の音響装置。
【請求項３】
前記防水振動膜は、前記磁性部が位置する方向と反対方向に窪む球面状凹部に形成され、
前記磁性部は、前記圧緩衝部が前記防水振動膜の前記球面状凹部の形状に対応して突出する球面状凸部形状に形成されて、
前記保護パネルは、前記圧緩衝部が前記防水振動膜の前記球面状凹部の形状に対応して窪む球面状凹部形状に形成されている
ことを特徴とする請求項２に記載の音響装置。
【請求項４】
防水振動膜と、
前記防水振動膜の下方に配置される磁石を含む磁性部と、
前記防水振動膜の上方に配置し、開口を有する保護パネルと、を備える音響装置であって、
前記防水振動膜は、前記磁性部が位置する方向に突出する凸部、または前記磁性部が位置する方向と反対方向に窪む凹部を有し、
前記保護パネルは、前記防水振動膜の前記凸部に対応する位置に、前記防水振動膜が位置する方向と反対方向に突出する、前記凸部の形状に対応した凸部形状の圧緩衝部を有する、または前記防水振動膜の前記凹部に対応する位置に、前記防水振動膜が位置する方向に窪む、前記凹部の形状に対応した凹部形状の圧緩衝部を有する
ことを特徴とする音響装置。
【請求項５】
前記防水振動膜による振動と共鳴する共鳴箱部を備える
ことを特徴とする請求項１から４のいずれか一項に記載の音響装置。
【請求項６】
前記防水振動膜側から前記共鳴箱部側への通気経路を開閉する開閉部材を備える
ことを特徴とする請求項５に記載の音響装置。
【請求項７】
前記共鳴箱部に開口を設け、
前記保護パネルの前記開口、及び前記共鳴箱部の前記開口から水を浸入させる
ことを特徴とする請求項５または６に記載の音響装置。
【請求項８】
前記磁性部は、前記磁石と当該磁石の上に配置されたポールピースからなり、前記圧緩衝部は、前記ポールピースが有する
こと特徴とする請求項１から７のいずれか一項に記載の音響装置。
【請求項９】
防水振動膜と、
前記防水振動膜の下方に配置される磁石を含む磁性部とを有し、
前記防水振動膜は凹凸部を有し、
前記磁性部は前記防水振動膜が有する凹凸部に対応する位置に、当該防水振動膜の凹凸部の形状に対応した形状の圧緩衝部を有する
ことを特徴とする音響装置。
【発明の詳細な説明】
【技術分野】
【０００１】
本発明は、スピーカやマイク等の音響装置に関する。
【背景技術】
【０００２】
特許文献１のように、防水処理を施した振動膜を有するスピーカは公知である。
また、特許文献２のように、水滴センサによる水滴検出の有無に対応して開口部を開閉する開閉部材を設けたマイクも公知である。
そして、特許文献３のように、概ね外側に膨らんだ波型の防水性の樹脂製ダイヤフラムによる振動板を備えるスピーカも公知である。
【先行技術文献】
【特許文献】
【０００３】
【特許文献１】実開平５−４２３１０号公報
【特許文献２】特開２００９−４４６８７号公報
【特許文献３】特開２００４−１５９１８１号公報
【発明の概要】
【発明が解決しようとする課題】
【０００４】
しかし、従来のスピーカやマイクは、例えば数気圧等の水圧印加や内圧変動等といった、圧力変動に起因するスピーカ内やマイク内の振動膜の破壊については考慮されていなかった。
【０００５】
本発明の課題は、スピーカやマイク等の音響装置において、圧力変動による防水振動膜の破壊を防止することである。
【課題を解決するための手段】
【０００６】
以上の課題を解決するため、本発明は、
防水振動膜と、
前記防水振動膜の下方に配置される磁石を含む磁性部と、
を備える音響装置であって、
前記防水振動膜は、前記磁性部が位置する方向に突出する凸部、または前記磁性部が位置する方向と反対方向に窪む凹部を有し、
前記磁性部は、前記防水振動膜の前記凸部に対応する位置に、前記防水振動膜が位置する方向と反対方向に窪む、前記凸部の形状に対応した凹部形状の圧緩衝部を有する、または前記防水振動膜の前記凹部に対応する位置に、前記防水振動膜が位置する方向へ突出する、前記凹部の形状に対応した凸部形状の圧緩衝部を有することを特徴とする。
【発明の効果】
【０００７】
本発明によれば、圧力変動による防水振動膜の破壊を防止することができる。
【図面の簡単な説明】
【０００８】
【図１】本発明を適用した音響装置の一実施形態の構成を示すもので、スピーカの中央断面図である。
【図２】図１のスピーカの作用を説明するもので、通常時を示す図（ａ）、加圧時を示す図（ｂ）、減圧時を示す図（ｃ）である。
【図３】実施形態２のスピーカの中央断面図である。
【図４】図３のスピーカの作用を説明するもので、通常時を示す図（ａ）、加圧時を示す図（ｂ）、減圧時を示す図（ｃ）である。
【図５】実施形態３のスピーカの中央断面図である。
【図６】実施形態４のスピーカを示すもので、中央断面図（ａ）、平面図（ｂ）である。
【図７】実施形態５の電子機器を示す平面図である。
【図８】実施形態６の電子機器を示す斜視図である。
【図９】実施形態７の電子機器を示す斜視図である。
【図１０】実施形態８の電子機器を示す平面図である。
【図１１】図１０の中央断面図である。
【図１２】実施形態９の電子機器を示す平面図である。
【図１３】実施形態１０のスピーカを示すもので、中央断面図（ａ）、平面図（ｂ）である。
【発明を実施するための形態】
【０００９】
以下、図を参照して本発明を実施するための形態を詳細に説明する。
（実施形態１）
図１は本発明を適用した音響装置の一実施形態の構成としてスピーカを示すもので、時計側ケース部１にスピーカケース２及び下ケース３が組み込まれ、時計側ケース部１とスピーカケース２との間にＯリング等の防水パッキン４が設けられ、スピーカケース２と下ケース３との間にクッション５が設けられている。
時計側ケース部１及びスピーカケース２の上に保護パネル６が組み付けられ、保護パネル６には複数の開口（報音孔）７が形成されている。
【００１０】
また、スピーカケース２の内部にスプリング（板バネ）８を介してヨーク９が組み付けられ、ヨーク９と下ケース３との間に背面空洞１０が形成されている。
ヨーク９の上には、永久磁石１１を介してポールピース１２が設置され、その永久磁石１１及びポールピース１２の外側を囲むボイスコイル部（可動電磁石）１３を一体化して備える防水振動膜１４が設けられている。防水振動膜１４は、その周囲をスピーカケース２と保護パネル６との間に挟み込んで支持されている。尚、本実施形態では、ポールピース１２と永久磁石１１でもって、磁性部を形成している。
【００１１】
そして、防水振動膜１４の中央部は、ポールピース１２が位置する方向に突出する凸部１４ａに形成されて、その周囲は、ポールピース１２が位置する方向と反対の保護パネル６が位置する方向に窪む凹部１４ｂに形成されている。
なお、防水振動膜１４は、ボイスコイル部１３の周囲も、ポールピース１２が位置する方向と反対の保護パネル６が位置する方向に窪む凹部１４ｃが形成されている。
【００１２】
このように、電磁スピーカなどダイナミック型のスピーカ素子を設ける場合において、一般に、フィルム製やプラスチック製、金属製などの薄膜の防水振動膜１４には、所定の音響特性や耐久強度が得られるように、予め、なだらかな凹凸曲面などの成型加工などがなされている。
【００１３】
また、ポールピース１２は、防水振動膜１４の凸部１４ａ、凹部１４ｂに対応する位置に圧緩衝部１２ａ・１２ｂが形成されている。即ち、ポールピース１２の中央部は、凸部１４ａの形状に対応して窪む凹部形状の圧緩衝部１２ａに形成されて、その周囲は、凹部１４ｂの形状に対応して突出する凸部形状の圧緩衝部１２ｂに形成されている。
【００１４】
さらに、保護パネル６は、防水振動膜１４の凸部１４ａ、凹部１４ｂ・１４ｃに対応する位置に圧緩衝部６ａ・６ｂ・６ｃが形成されている。即ち、保護パネル６の中央部は、凸部１４ａの形状に対応して突出する凸部形状の圧緩衝部６ａに形成されて、その周囲は、凹部１４ｂ・１４ｃの形状に各々対応して窪む凹部形状の圧緩衝部６ｂ・６ｃにそれぞれ形成されている。
【００１５】
図２は以上のスピーカの作用を説明するもので、通常時は、図２（ａ）に示すように、スピーカで報音が行われる、
【００１６】
浸水中などの加圧時は、外圧＞スピーカ内圧となって、図２（ｂ）に示すように、防水振動膜１４がポールピース１２側に押し付けられるが、ポールピース１２表面中央部の凹部形状の圧緩衝部１２ａと、その周囲の凸部形状の圧緩衝部１２ｂとの凹凸曲面により、防水振動膜１４の中央部の凸部１４ａと、その周囲の凹部１４ｂとの成型曲面形状が保護される。
【００１７】
このように、音声出力孔である開口７を有する保護パネル６の下の防水振動膜１４の内側に位置する磁心中央のポールピース１２の表面を、なだらかな凹凸曲面形状に加工しておき、水圧により防水振動膜１４が、下側磁心のポールピース１２側に押されたときには、そのなだらかな凹凸曲面に張り付くようにして、防水振動膜１４やエッジ部、ダンパー部等に予め加工して設けてある凹凸形状が、機械疲労で損なわれにくいようにして、防水振動膜１４の耐圧性能を向上させる。
【００１８】
また、水中から上がった時、時計内部の電池からガス発生した時、回路に熱が籠って内部の空気が熱膨張した時などの内圧が上がった時は、外圧＜スピーカ内圧となって、図２（ｃ）に示すように、防水振動膜１４が保護パネル６側に押し付けられるが、保護パネル６表面中央部の凸部形状の圧緩衝部６ａと、その周囲の凹部形状の圧緩衝部６ｂ・６ｃとの凹凸曲面により、防水振動膜１４の中央部の凸部１４ａと、その周囲の凹部１４ｂ・１４ｃとの成型曲面形状が保護される。
【００１９】
このように、上面の保護パネル６の裏面に、ポールピース１２とは反対パターンであるなだらかな凹曲面形状に加工しておけば、同様に、負圧で防水振動膜１４が保護パネル６側に押し付けられたときに、破損しにくいものとなる。
これにより、防水振動膜１４の耐圧性能、ひいては、スピーカの耐水性・防水性を強化して、音響特性を大きく損なわずに、強化防水用時計ケース等にも使えるレベルに防水性を向上させることが可能となる。
【００２０】
以上、実施形態のスピーカによれば、ポールピース１２が、防水振動膜１４の中央部の凸部１４ａ、及び周囲の凹部１４ｂに対応する位置に、凸部１４ａの形状に対応した凹部形状の圧緩衝部１２ａと、凹部１４ｂの形状に対応した凸部形状の圧緩衝部１２ｂを有し、保護パネル６も、同様の凹部形状、凸部形状の圧緩衝部６ａ・６ｂ・６ｃを有しているため、外的要因に基づく圧力変動による防水振動膜１４の破壊を防止することができる。
【００２１】
（実施形態２）
図３は実施形態２のスピーカを示すもので、前述した実施形態１と同様、１は時計側ケース部、２はスピーカケース、３は下ケース、４は防水パッキン、５はクッション、６は保護パネル、７は開口、８はスプリング、９はヨーク、１０は背面空洞、１１は永久磁石、１２はポールピース、１３はボイスコイル部、１４は防水振動膜である。
【００２２】
実施形態２は、図示のように、防水振動膜１４の大部分（ボイスコイル部１３で囲まれる部分）は、ポールピース１２が位置する方向と反対の保護パネル６が位置する方向に窪む凹部１４ｄに形成されている。
そして、ポールピース１２の上面は、防水振動膜１４の凹部１４ｄの形状に対応して突出する凸部形状の圧緩衝部１２ｄに形成されている。
また、保護パネル６の下面は、防水振動膜１４の凹部１４ｄの形状に対応して窪む凹部形状の圧緩衝部６ｄに形成されている。
【００２３】
従って、浸水中などの加圧時は、外圧＞スピーカ内圧となって、図４（ｂ）に示すように、防水振動膜１４がポールピース１２側に押し付けられるが、ポールピース１２表面の凸部形状の圧緩衝部１２ｄの凸曲面により、防水振動膜１４の凹部１４ｄの成型曲面形状が保護される。
【００２４】
また、水中から上がった時、時計内部の電池からガス発生した時、回路に熱が籠って内部の空気が熱膨張した時などの内圧が上がった時は、外圧＜スピーカ内圧となって、図４（ｃ）に示すように、防水振動膜１４が保護パネル６側に押し付けられるが、保護パネル６表面の凹部形状の圧緩衝部６ｄの凹曲面により、防水振動膜１４の凹部１４ｄの成型曲面形状が保護される。
【００２５】
（実施形態３）
図５は実施形態３のスピーカを示すもので、前述した実施形態１と同様、２はスピーカケース、６は保護パネル、１３はボイスコイル部であって、１５は防水振動膜、１９はヨーク、２１は永久磁石、２２はポールピースである。
【００２６】
実施形態３は、図示のように、ヨーク１９の周囲に離間して永久磁石２１を配置して、ヨーク１９の上にポールピース２２を設置している。
ヨーク１９及びポールピース２２の周囲を囲むボイスコイル部１３を一体化して備える防水振動膜１５を、中央のポールピース２２が位置する方向と反対方向に窪む球面状凹部形状のセンターキャップ部（凹部）１５ａとその周囲のエッジ部１５ｂとから構成する。
ポールピース２２の上面は、球面状凸部形状の圧緩衝部として形成されている。
そして、保護パネル６の下面は、センターキャップ部１５ａの球面状凹部形状の外側面の球面状凸部形状に対応して窪む球面状凹部による圧緩衝部１６として形成されている。この球面部１６に開口１７を形成する。
【００２７】
このように、防水振動膜１５中央の球面状のセンターキャップ部１５ａ、その形状に対応する上面が球面状凸部の圧緩衝部のポールピース２２、及び保護パネル６下面の球面状凹部による圧緩衝部１６とすることで、前述した実施形態１・２と同様の作用効果が得られること加えて、スピーカ構成部品の加工がしやすいといった利点も得られる。
【００２８】
（実施形態４）
図６は実施形態４のスピーカを示すもので、図６（ａ）は中央断面、図６（ｂ）は平面を示しており、前述した実施形態２と同様、１は時計側ケース部、２はスピーカケース、３は下ケース、５はクッション、６は保護パネル、８はスプリング、９はヨーク、１０は背面空洞、１１は永久磁石、１２はポールピース、１２ｄは圧緩衝部、１３はボイスコイル部、１４は防水振動膜、１４ｄは凹部である。
【００２９】
実施形態４は、図示のように、実施形態２のスピーカケース２、クッション５、ヨーク９、背面空洞１０、永久磁石１１、ポールピース１２、ボイスコイル部１３、及び防水振動膜１４を上下逆にしたもので、下ケース３の上面に、防水振動膜１４の凹部１４ｄの形状に対応して窪む凹部形状の圧緩衝部３ｄが形成されている。
【００３０】
そして、以上の構成によるスピーカ３０には、下ケース３と防水振動膜１４との間の空間に通気経路３１を通して連通する共鳴箱部（フロムホルツ共鳴部）３２が形成されている。この共鳴箱部３２に対応する保護パネル６部分にのみ開口３７が設けられている。
【００３１】
このようにして、例えばΦ８ｍｍ程度の小径の円筒形など、小型キャビティにダイナミック型などのスピーカ３０を構成し、その側部（または上部）に煙突やバスレフ経路のように、例えばΦ３ｍｍ程度のさらに小径中空の円筒管などの共鳴箱部３２を、音（空気）の出入経路（通気経路３１）、報音孔（開口３７）として備える。
【００３２】
そして、その通気経路３１の途中に、例えば電磁ＶＣＭ（ボイスコイルモータ）で摺動駆動できる電磁弁３３、または（時計の押し釦の様な）ゴムパッキンを備えた摺動ピン構造を設けて、通気経路３１を遮断して、水（空気）の流入や浸水の通過／遮断を切り替えできるようにする。
【００３３】
さらに、水没センサ（時計ケース表面に数〜十ｍｍ離した一対の金属電極を設けて、開放（空中）か短絡（水没）かを電流または電気抵抗から検出する）、または、気圧／水圧兼用の圧力センサ（水深１〜２ｍなど、所定以上の水深や水圧を検出する）により、水没や所定以上の水深と判断された場合は、このアクチュエータを駆動して、通気経路３１を遮断して、スピーカ３０のキャビティ内への水（空気）の浸入を、強化防水レベルの耐圧にて抑止する。それとともに、例えば、スピーカ３０と接続されているオーディオ回路が、スピーカ３０への出力も禁止するよう制御する。
【００３４】
なお、浸水遮断用の電磁弁やアクチュエータが開いているときは、スピーカ３０は単体では、例えば３気圧程度の日常生活用防水にしか耐えられない構造だが、空気中では音声の周波数特性に比較的優れる。
また、電磁弁やアクチュエータが閉じている状態では、水中でスピーカ使用はできないが、５〜１０気圧程度の強化防水レベルで水中や浸水に耐えられるスピーカ３０とケース構造が可能になる。
【００３５】
以上において、通気経路３１を開閉する開閉部材としての電磁弁３３は、例えば、１）時計の防水構造の押しボタンと一体化した電磁弁としてもよく、２）スピーカ３０のバスレフ構造などスピーカ構造と一体化した電磁弁としてもよく、また、センサは、３）本体（ベゼル部など）またはスピーカ３０部に設けた水没（電気抵抗、短絡）センサ、または、本体内蔵の水圧（圧力）センサとしてもよい。
【００３６】
（実施形態５）
図７は実施形態５の電子機器として腕時計を示すもので、１は時計側ケース、３０はスピーカ、３１は通気経路、３２は共鳴箱部、４１は電磁弁（開閉部材）、４２は電磁弁駆動部、４３は水没センサ（電極）、４４は水圧（圧力）センサである。
【００３７】
実施形態５は、図示のように、時計側ケース１に、実施形態４のスピーカ３０、通気経路３１、共鳴箱部３２が組み込まれた腕時計において、通気経路３１を開閉する開閉部材としての電磁弁４１、及びその電磁弁駆動部４２を組み付けて、一対の電極の通電で水没状態にあることを検出する水没センサ４３と、水中の圧力を検出する水圧センサ４４を組み付けている。
【００３８】
このように、通気経路３１に、例えば電磁ＶＣＭ（ボイスコイルモータ）による電磁弁駆動部４２で摺動駆動できる電磁弁４１を設けて、通気経路３１を開閉することで、水（空気）の流入や浸水の通過／遮断を切り替えできる。
そして、水没センサ４３、及び水圧センサ４４により、水没や所定以上の水深と判断された場合は、通気経路３１を遮断して、スピーカ３０のキャビティ内への水（空気）の浸入を、強化防水レベルの耐圧にて抑止するとともに、オーディオ回路が、スピーカ３０への出力も禁止する。
【００３９】
（実施形態６）
図８は実施形態６の腕時計を示すもので、１は時計側ケース、３０はスピーカ、３１は通気経路、３２は共鳴箱部、３７は開口、４５はリューズ、４６は摺動ピン（開閉部材）である。
【００４０】
実施形態６は、図示のように、時計側ケース１に、実施形態４のスピーカ３０、通気経路３１、共鳴箱部３２が組み込まれた腕時計において、引き抜き構造のリューズ４５と一体化した、通気経路３１を開閉する開閉部材である摺動ピン４６を設けている。
【００４１】
このように、通気経路３１に、引き抜き構造のリューズ４５と一体化した、例えばゴムパッキンを備える摺動ピン４６を設けて、リューズ４５の引き抜き／押し込み動作により通気経路３１を開閉することで、水（空気）の流入や浸水の通過／遮断を切り替えできる。
【００４２】
（実施形態７）
図９は実施形態７の腕時計を示すもので、１は時計側ケース、３０はスピーカ、３１は通気経路、３２は共鳴箱部、４７はリューズである。
【００４３】
実施形態７は、図示のように、時計側ケース１に、実施形態４のスピーカ３０、通気経路３１、共鳴箱部３２が組み込まれた腕時計において、引き抜き＆回転構造のリューズ４７にその内部を通る通気経路４８を設けている。
【００４４】
このように、引き抜き＆回転構造のリューズ４７に通気経路４８を設けて、リューズ４７の引き抜き＆回転操作によりその内部を通る通気経路４８と、共鳴箱部３２との間を開閉することで、水（空気）の流入や浸水の通過／遮断を切り替えできる。
【００４５】
（実施形態８）
図１０及び図１１は実施形態８の腕時計の裏側と断面を示すもので、１は時計側ケース、５０はスピーカ、５１は裏蓋、５２は開口、５３は内蓋、５４は開口である。
【００４６】
実施形態８は、図示のように、時計側ケース１の裏側にスピーカ５０を設け、時計側ケース１の裏側に回転可能に取り付けられる裏蓋５１の周囲に複数のスリット状の開口５２を形成して、裏蓋５１の内側に内蓋５３を設け、その内蓋５３の周囲に複数のスリット状の開口５４を形成している。裏蓋５３は時計側ケース１の裏側に固定する。
【００４７】
このように、時計側ケース１の裏側にスピーカ５０を設けた腕時計において、二重構造の裏蓋５１を回転操作することにより、内蓋５３周囲のスリット状の開口５４に対して、裏蓋５１周囲のスリット状の開口５２を一致させたり、裏蓋５１で閉鎖することで、水（空気）の流入や浸水の通過／遮断を切り替えできる。
【００４８】
（実施形態９）
図１２は実施形態９の腕時計の裏側を示すもので、１は時計側ケース、５０はスピーカ、５１は裏蓋、５５は微細孔膜である。
【００４９】
実施形態９は、図示のように、時計側ケース１の裏側にスピーカ５０を設け、時計側ケース１の裏側に回転可能に取り付けられる裏蓋５１の中央部に、電子制御による微細孔膜５５を設ける。
【００５０】
このように、時計側ケース１の裏側にスピーカ５０を設けた腕時計において、裏蓋５１の中央部に設けた微細孔膜５５の孔の大きさを電子制御して開閉することで、水（空気）の流入や浸水の通過／遮断を切り替えできる。
【００５１】
すなわち、時計側ケース１の裏側にスピーカ５０を設けた腕時計の裏蓋５１の中央部に設けた微細孔膜５５の微細な孔を電子制御で開閉する。
【００５２】
または、スピーカ５０のキャビティの開口部（空気の出入孔）の振動膜の上下、または、通気経路に、円盤ディスク状で多数の細かい孔が開き、その孔の大きさを電子的に大小開閉できるアクチュエータ（導電性高分子アクチュエータ、または、ＩＰＭＣ（イオン伝導性高分子アクチュエータ）膜など）を装着した振動膜保護膜や防水シールを設ける等して、所定以上の水深や水没を検出すると、自動的にアクチュエータの径が閉じる（小さくなる）ように電子駆動して、水（空気）や水圧の浸入を遮断するとともに、オーディオ回路では、スピーカ出力を禁止するよう制御することも可能である。
【００５３】
以上の通り、１）膜状構造の電子制御による孔開閉のアクチュエータとする、２）ナノ構造の微細孔開閉のアクチュエータとする、３）雨降りセンサ等ではなく、本体（ベゼル部など）又はスピーカ部に設けた、水没（電気抵抗、短絡）センサ、または、本体内蔵の水圧（圧力）センサを用いて制御する。
【００５４】
（実施形態１０）
図１３は実施形態１０のスピーカを示すもので、図１３（ａ）は中央断面、図１３（ｂ）は平面を示しており、前述した実施形態２と同様、１は時計側ケース部、２はスピーカケース、３は下ケース、４は防水パッキン、５はクッション、６は保護パネル、６ｄは圧緩衝部、７は開口、８はスプリング、９はヨーク、１０は背面空洞、１１は永久磁石、１２はポールピース、１２ｄは圧緩衝部、１３はボイスコイル部、１４は防水振動膜、１４ｄは凹部である。また、前述した実施形態４と同様、３０はスピーカ、３１は通気経路、３２は共鳴箱部、３７は開口である。
【００５５】
実施形態１０は、図示のように、実施形態２と同様の構成によるスピーカ３０において、下ケース３とヨーク９との間の背面空洞１０に通気経路３１を通して連通する共鳴箱部（フロムホルツ共鳴部）３２が形成されている。この共鳴箱部３２に対応する保護パネル６部分に開口３７が設けられている。
【００５６】
このように、開口７を有するスピーカ３０、通気経路３１、開口３７を有する共鳴箱部３２を構成することにより、浸水時に開口７から水が入る一方、開口３７から入った水が共鳴箱部３２、通気経路３１、背面空洞１０、及びスプリング８を通って入ることにより、防水振動膜１４の両側から浸水するので、防水振動膜１４にかかる水圧による差圧を小さくでき、防水振動膜１４が破壊されにくくするとともに、通常時は共鳴箱部３２により音声の周波数特性（低音側）を改善できる。
【００５７】
このようにして、平面型（マグネプレーナー型、圧電型など）のスピーカ３０の防水振動膜１４の両側に、同時に水が浸入する構造として、（３０ｍ〜５０ｍ程度以上の）水深の水中でも、防水振動膜１４の両側にかかる水圧は、略同じ圧力になるようにして、両側間の圧力差（差圧）が小さくなり、水圧により防水振動膜１４が破損しにくい構成として、水中や水没中におけるスピーカ３０の耐圧性能を向上させることができる。
【００５８】
尚、上述した実施形態においては、ポールピースに圧緩衝部を有した構成で説明したが、ポールピースを省略する構成においては、永久磁石の形状を加工して永久磁石が圧緩衝部を有するようにしてもよく、要は磁石を含む磁性部が圧緩衝部を有するようにしてもよい。
【００５９】
（他の実施形態）
図示しないが、防水振動膜の上部などに、薄い液体（水、油、液体シリコン、流体）層やジェル層などを設けて、常に少しだけ水没している構成として、空気中でも薄い液体層を介して音声を入力できる、つまり、常に液体層に保護されたマイク構造として、多少の浸水や水圧がかかっても、振動膜や振動板などの素子には影響が少なくなる構造とすることも可能である。
【００６０】
（変形例）
以上の実施形態においては、スピーカとしたが、本発明はこれに限定されるものではなく、マイクでもよく、要は音響装置であればよい。
また、その他、具体的な細部構造等についても適宜に変更可能であることは勿論である。
【００６１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
防水振動膜と、
前記防水振動膜の下方に配置される磁石を含む磁性部と、
を備える音響装置であって、
前記防水振動膜は、前記磁性部が位置する方向に突出する凸部、または前記磁性部が位置する方向と反対方向に窪む凹部を有し、
前記磁性部は、前記防水振動膜の前記凸部に対応する位置に、前記防水振動膜が位置する方向と反対方向に窪む、前記凸部の形状に対応した凹部形状の圧緩衝部を有する、または前記防水振動膜の前記凹部に対応する位置に、前記防水振動膜が位置する方向へ突出する、前記凹部の形状に対応した凸部形状の圧緩衝部を有する
ことを特徴とする音響装置。
＜請求項２＞
前記防水振動膜の上方に配置され、開口を有する保護パネルを備え、
前記保護パネルは、前記防水振動膜の前記凸部に対応する位置に、前記防水振動膜が位置する方向と反対方向に突出する、前記凸部の形状に対応した凸部形状の圧緩衝部を有する、または前記防水振動膜の前記凹部に対応する位置に、前記防水振動膜が位置する方向に窪む、前記凹部の形状に対応した凹部形状の圧緩衝部を有する
ことを特徴とする請求項１に記載の音響装置。
＜請求項３＞
前記防水振動膜は、前記磁性部が位置する方向と反対方向に窪む球面状凹部に形成され、
前記磁性部は、前記圧緩衝部が前記防水振動膜の前記球面状凹部の形状に対応して突出する球面状凸部形状に形成されて、
前記保護パネルは、前記圧緩衝部が前記防水振動膜の前記球面状凹部の形状に対応して窪む球面状凹部形状に形成されている
ことを特徴とする請求項２に記載の音響装置。
＜請求項４＞
防水振動膜と、
前記防水振動膜の下方に配置される磁石を含む磁性部と、
前記磁性部の下方に配置される磁石と、
前記防水振動膜の上方に配置し、開口を有する保護パネルと、を備える音響装置であって、
前記防水振動膜は、前記磁性部が位置する方向に突出する凸部、または前記磁性部が位置する方向と反対方向に窪む凹部を有し、
前記保護パネルは、前記防水振動膜の前記凸部に対応する位置に、前記防水振動膜が位置する方向と反対方向に突出する、前記凸部の形状に対応した凸部形状の圧緩衝部を有する、または前記防水振動膜の前記凹部に対応する位置に、前記防水振動膜が位置する方向に窪む、前記凹部の形状に対応した凹部形状の圧緩衝部を有する
ことを特徴とする音響装置。
＜請求項５＞
前記防水振動膜による振動と共鳴する共鳴箱部を備える
ことを特徴とする請求項１から４のいずれか一項に記載の音響装置。
＜請求項６＞
前記防水振動膜側から前記共鳴箱部側への通気経路を開閉する開閉部材を備える
ことを特徴とする請求項５に記載の音響装置。
＜請求項７＞
前記共鳴箱部に開口を設け、
前記保護パネルの前記開口、及び前記共鳴箱部の前記開口から水を浸入させる
ことを特徴とする請求項５または６に記載の音響装置。
＜請求項８＞
前記磁性部は、前記磁石と当該磁石の上に配置されたポールピースからなり、前記圧緩衝部は、前記ポールピースが有する
こと特徴とする請求項１から７のいずれか一項に記載の音響装置。
＜請求項９＞
防水振動膜と、
前記防水振動膜の下方に配置される磁石を含む磁性部とを有し、
前記防水振動膜は凹凸部を有し、
前記磁性部は前記防水振動膜が有する凹凸部に対応する位置に、当該防水振動膜の凹凸部の形状に対応した形状の圧緩衝部を有する
ことを特徴とする音響装置。
【符号の説明】
【００６２】
１  時計側ケース部
２  スピーカケース
３  下ケース
３ｄ  圧緩衝部
４  防水パッキン
５  クッション
６  保護パネル
６ａ  圧緩衝部
６ｂ  圧緩衝部
６ｃ  圧緩衝部
６ｄ  圧緩衝部
７  開口
８  スプリング
９  ヨーク
１０  背面空洞
１１  永久磁石（磁性部）
１２  ポールピース（磁性部）
１２ａ  圧緩衝部
１２ｂ  圧緩衝部
１３  ボイスコイル部
１４  防水振動膜
１４ａ  凸部
１４ｂ  凹部
１４ｃ  凹部
１４ｄ  凹部
１５  防水振動膜
１５ａ  センターキャップ部（凹部）
１５ｂ  エッジ部
１６  球面部（凹部）
１７  開口
１９  ヨーク
２１  永久磁石（磁性部）
２２  ポールピース（磁性部）
３０  スピーカ
３１  通気経路
３２  共鳴箱部
３３  電磁弁（開閉部材）
３７  開口
４１  電磁弁（開閉部材）
４２  電磁弁駆動部
４３  水没センサ（電極）
４４  水圧（圧力）センサ
４５  リューズ
４６  摺動ピン（開閉部材）
４７  リューズ
４８  通気経路
５０  スピーカ
５１  裏蓋
５２  開口
５３  内蓋（開閉部材）
５４  開口
５５  微細孔膜（開閉部材）
【図１】
2018050141.tif 000003
【図２】
2018050141.tif 000004
【図３】
2018050141.tif 000005
【図４】
2018050141.tif 000006
【図５】
2018050141.tif 000007
【図６】
2018050141.tif 000008
【図７】
2018050141.tif 000009
【図８】
2018050141.tif 000010
【図９】
2018050141.tif 000011
【図１０】
2018050141.tif 000012
【図１１】
2018050141.tif 000013
【図１２】
2018050141.tif 000014
【図１３】
2018050141.tif 000015